(57)【特許請求の範囲】
【請求項１】
浴槽の浴水を入水し、所定の浄化処理を施した後、再び該浴水を浴槽に出水する浴水浄化装置において、
前記浴槽の浴水を入水する吸込口と、
該吸込口に連結し、浴水を最初にろ過する前段ろ過装置と、
前記前段ろ過装置の後段側に設けられた浄化処理装置と、
前記前段ろ過装置に設けられた、タンクと、
該タンク内に納められたろ過材と、
前記タンクの上流側に設けられ、前記吸込口に連結する入水口と、
前記タンクの前記ろ過材の下流側に設けられた第１と第２の出水口と、  前記浴槽を経由せずに装置内部に閉循環路を形成し、該閉循環路内に浴水を循環させて内部洗浄を行わせる内部洗浄装置と、を備え、
前記前段ろ過装置の第１と第２の出水口を前記閉循環路内に位置させて、内部洗浄時に該前段ろ過装置も洗浄する、
ことを特徴とする浴水浄化装置。
【発明の詳細な説明】
【０００１】
【発明の属する技術分野】
この発明は、浴水浄化装置に関する。
【０００２】
【従来の技術】
浴槽の浴水を入水してろ過タンクによるろ過処理を加えた後に浴槽に出水し、この行程を繰り返すことにより浴水を循環浄化する浴水浄化装置が知られている。循環浄化に際しては浴槽からの吸い込み口の近傍に前段ろ過を行うためのヘアキャッチャー或いはプレフィルタと呼ばれるものを装着して髪の毛等の大型のゴミを最初に除去し、その後濾材を設けたろ過タンクに浴水を導いて更に浄化を行うのが普通である。
またこの浴水浄化装置内部に閉循環路を形成できるようにしておき、ここに浴水を循環させて内部洗浄を行わせる内部洗浄装置を備えるものが知られている。該内部洗浄の際には浴水を所定温度まで加熱し、高温の浴水で所謂熱洗浄を行うのが一般的である。
【０００３】
【発明が解決しようとする課題】
しかし、従来の浴水浄化装置においてヘアキャッチャーは通常吸い込み口近傍に設けられているため、閉循環路外に位置することになってしまい、内部洗浄を行う場合に、ヘアキャッチャーの洗浄が行われない問題があった。そのためヘアーキャッチャーが細菌の巣になり、細菌が増殖し、またタンパク質などの有機物が蓄積し固着する等の問題があった。
本発明は上記従来技術の問題を解決することを目的とする。
【０００４】
【課題を解決するための手段】
上記目的を達成するために本発明は、浴槽の浴水を入水し、所定の浄化処理を施した後、再び該浴水を浴槽に出水する浴水浄化装置において、前記浴槽の浴水を入水する吸込口と、該吸込口に連結し、浴水を最初にろ過する前段ろ過装置と、  前記前段ろ過装置の後段側に設けられた浄化処理装置と、前記前段ろ過装置に設けられた、タンクと、該タンク内に納められたろ過材と、前記タンクの上流側に設けられ、前記吸込口に連結する入水口と、前記タンクの前記ろ過材の下流側に設けられた第１と第２の出水口と、前記浴槽を経由せずに装置内部に閉循環路を形成し、該閉循環路内に浴水を循環させて内部洗浄を行わせる内部洗浄装置と、を備え、前記前段ろ過装置の第１と第２の出水口を前記閉循環路内に位置させて、内部洗浄時に該前段ろ過装置も洗浄する、ことを特徴とする。
この構成によりヘアーキャッチャー等の前段ろ過装置も内部洗浄時に洗浄されるため、細菌の繁殖やタンパク質の固着などを防止することが可能になる。
また前記閉循環路は第１と第２の出水口を経由するように構成され、該ろ過材の下流側を循環するから、内部洗浄時に入水口側へ浴水が逆流することがなく、入水口と浴槽との間にバルブなどを増設する必要がなく、コストアップなしで内部洗浄が可能になる。
【０００５】
【発明の実施の形態】
以下本発明の実施の形態を図面に基づいて説明する。
図１は全体の構造を示し、図２は通常浄化運転時の状態を示している。図中そのモードで使用していない経路は点線で示してある。
図１と図２においてにおいて、メインポンプ２０の稼働により浴槽（図示せず）の浴水は吸込口２４から配管４０を経由して浴水浄化装置内に入水し、前段ろ過装置であるヘアキャッチャー２３を通りここで大型のゴミが除去される。そしてメインポンプ２０を経由して切替バルブ２６を通って、配管４１を経由してろ過タンク２１に入り、ここで第２のろ過処理がなされ、微細なゴミ等が取り除かれる。ろ過タンク２１にはＵＶランプが設けられており、ここで同時に殺菌処理が行われる。そして、ヒータ２２により所定温度まで加温され切替バルブ２７を通って配管４２を経由して吐出口２５から浴槽に出水され、この循環を繰り返して浄化されるように構成されている。
【０００６】
メインポンプ２０と並列に更にサブポンプ１５が設けられている。このサブポンプ１５は一方はヘアキャッチャー２３と接続し、他方は逆止弁５０を介して配管４１に接続している。
サブポンプ１５はメインポンプ２０よりも小型で容量、揚程が小さいものを用いている。
なお３は排水用切替バルブであり、系外に排水するためのものである。また５０は逆止弁である。
【０００７】
図３にヘアキャッチャー２３の構成を示す。この例ではヘアキャッチャー２３はタンク６６とその内部に設けられたヘアキャッチャー網６５を備えている。６７は蓋である。タンク６６の上部には入水口６０が設けられており吸込口２４に連結して浴槽からの浴水を入水するようになっている。ヘアキャッチャー網６５の下側にはメインポンプ出水口６１とサブポンプ出水口６２が設けられており、入水口６０からの浴水はヘアキャッチャー網６５で大型ゴミが取り除かれて、メインポンプ出水口６１（メインポンプ２０稼働時）或いはサブポンプ出水口６２（サブポンプ１５稼働時）から出水するようになっている。
後に説明する内部洗浄時にはメインポンプ出水口６１から浴水が入りサブポンプ出水口６２から出水してヘアキャッチャー２３を洗浄するように構成されている。
この構成により、内部洗浄時に入水口６０側へ浴水が逆流することがなく、入水口６０と浴槽との間にバルブなどを増設しなくても内部洗浄が行える利点がある。
【０００８】
図４にこの実施形態の制御装置の構成を示す。制御装置３０はマイクロコンピュータを主体に構成されており、浴水浄化装置全体の制御を行っている。該制御装置３０には表示部３１と操作部３２が設けられており、操作部３２からユーザなどが種々の指令を入力する。表示部３１は様々な表示を行うものであって、種々の表示や告知などを表示部３１において行うようになっている。
【０００９】
制御装置３０は、メインポンプ２０の運転制御、サブポンプ１５の運転制御、切替バルブ２６と切替バルブ２７の開閉制御による通常運転モードと熱洗浄モードの切替、ヒータ２２の加温制御、排水用切替バルブ３の開閉制御等を行うようになっている。またこれらの制御の際に、湯温センサ等のセンサ群２８から種々の情報を入力するようになっている。また種々の表示及び告知を表示部３１において行うように構成されている。
【００１０】
装置内部の内部洗浄の際には、制御装置３０はサブポンプ１５による運転を行うようになっている。これを図５に示す。このモードで、制御装置３０は切替バルブ２６と切替バルブ２７を図示するように切り替え、且つメインポンプ２０を稼働せずに停止し、浴水が単に通過するだけにしておく。そして、サブポンプ１５の稼働によって浴水を内部循環させるようになっている。なお、この例ではヒータ２２により浴水を高温に加熱して熱水を循環させる熱洗浄を行うようになっている。
【００１１】
即ち、浴水はメインポンプ出水口６１からヘアキャッチャー２３内部に入り、サブポンプ出水口６２から出水する。そしてサブポンプ１５、逆止弁５０、配管４１を通ってろ過タンク２１に入り、切替バルブ２７からヒータ２２に入って切替バルブ２６を通り、メインポンプ２０を通過してヘアキャッチャー２３から再びサブポンプ１５方向に流れ、この閉循環路を循環して内部洗浄を行うようになっている。このとき、熱水はメインポンプ出水口６１から入って、サブポンプ出水口６２へと流れるので、はじめのうちは、ヘアキャッチャー内のこの水の流れのあるところしか昇温されないが、ヘアキャッチャー内でも徐々に対流がおこり、自然にヘアキャッチャー内の温度は均一化されて、殺菌に必要な温度まで到達する。この内部洗浄によりヘアキャッチャー２３も洗浄される。
なおこの洗浄の際には、サブポンプ１５により運転されるから、浴水の流速が過剰になることがなく、ろ過タンク２１の濾材が暴れたり、付着した汚れの剥離などが生じない。また、ヒータ２２により高温に加熱しても装置内の圧力が高くなりすぎることがない。
また、この実施形態ではヒータによって加熱し殺菌する方法を説明したが、閉循環路内に塩素などの殺菌剤を注入したり、殺菌剤を生成できる装置を付けて殺菌する方法等も採用可能である。
【００１２】
なおこの実施形態ではメインポンプ２０に故障が生じた場合にもサブポンプ１５による運転がなされるように構成されている。即ち所定のセンサによりメインポンプ２０の故障を検知し、制御装置３０へと信号を送る。制御装置３０はその旨の告知を表示部３１に表示する。この表示によりユーザはメインポンプ２０を停止し、サブポンプ１５を稼働させることにより通常通りの運転を行えるようになっている。
また制御装置３０がセンサからの信号を検出したら、メインポンプ２０を停止し、サブポンプ１５を稼働させるように予めプログラムを作成しておき、制御装置３０に自動的に制御させても良い。
メインポンプ２０の故障時には、浴水は吸込口２４から配管４０を経由してヘアキャッチャー２３からサブポンプ１５を通って逆止弁５０、配管４１を経由し、ろ過タンク２１において殺菌、ろ過されて、ヒータ２２で所定温度まで加温され、配管４２を経由して吐出口２５から浴槽に戻り、この行程を繰り返して循環する。
以上のように、メインポンプ２０に故障が生じてもサブポンプ１５を稼働することにより運転を停止する必要がない。
【００１３】
図６に逆洗浄時の動作を示す。
この時排水用切替バルブ３は図示するように排水側に開となり、ろ過タンク２１からの浴水を系外に排水するように設定される。
吸込口２４から吸引された浴水は入水口６０からヘアキャッチャー２３に入り、ここからメインポンプ出水口６１を通ってメインポンプ２０、切替バルブ２６を経由してヒータ２２に逆側から入り、更にろ過タンク２１に下側から入って排水用切替バルブ３を通って系外に排出されるように構成されている。この逆洗浄時においてもヘアキャッチャー２３の洗浄を行うことが可能である。
【００１４】
以上説明した実施形態においては、熱洗浄時或いは逆洗浄時にもヘアキャッチャー２３が洗浄されるから、ヘアキャッチャー２３による細菌の増殖や有機物の付着などを抑制することが可能になる等の効果がある。
【００１５】
【発明の効果】
以上説明したように本発明の浴水浄化装置によれば、ヘアーキャッチャー等の前段ろ過装置も内部洗浄の際に洗浄できるから、細菌の増殖や有機物の付着などを抑制できる効果がある。
【図面の簡単な説明】
【図１】本発明の一実施形態を示す概略図。
【図２】本発明の一実施形態の動作を示す概略図。
【図３】本発明の一実施形態におけるヘアキャッチャー２３の構造を示す概略図。
【図４】本発明の一実施形態の制御装置を示すブロック図。
【図５】本発明の一実施形態の他の動作を示す概略図。
【図６】本発明の一実施形態の更に他の動作を示す概略図。
【符号の説明】
３：排水用切替バルブ、１５：サブポンプ、２０：メインポンプ、２１：ろ過タンク、２２：ヒータ、２３：ヘアキャッチャー、２４：吸込口、２５：吐出口、２６：切替バルブ、２７：切替バルブ、２８：センサ群、３１：表示部、３２：操作部、４０：配管、４１：配管、４２：配管、５０：逆止弁、５１：逆止弁、６０：入水口、６１：メインポンプ出水口、６２：サブポンプ出水口、６５：ヘアキャッチャー網、６６：タンク、６７：蓋。
【図１】
0004332269.tif 000002
【図２】
0004332269.tif 000003
【図３】
0004332269.tif 000004
【図４】
0004332269.tif 000005
【図５】
0004332269.tif 000006
【図６】
0004332269.tif 000007